(57)【要約】【課題】ＰＤＰとデータドライバのどちらかを必要に応じて優先的に冷却することのできるプラズマディスプレイ装置を提供する。【解決手段】プラズマディスプレイ装置１Ａは、データドライバ３３に対応する位置に第１吸気部４３Ａが設けられ、この第１吸気部４３Ａよりも上方に第２吸気部４３Ｂが設けられた筐体４と、筐体４に沿って移動するスライド板５とを備えている。スライド板５は、移動機構６Ａにより、データドライバ３３の温度が相対的に低いときにはスライド板５の第３開口５１と第２吸気部４３Ｂの第２開口４３ｂとが合致する基準位置に移動させられ、データドライバ３３の温度が相対的に高いときには第２開口４３ｂを塞ぐ塞ぎ位置に移動させられる。【選択図】図１
2010060736.tif 000002
【特許請求の範囲】
【請求項１】
画像を表示する前面およびこの前面と反対側を向く背面を有するプラズマディスプレイパネルと、
前記プラズマディスプレイパネルの背面側に配置されたデータドライバと、
前記プラズマディスプレイパネルを前記データドライバと共に背面側から収容する筐体であって、吸気部および排気部を有し、前記プラズマディスプレイパネルの背面側に、前記吸気部から前記排気部に至る、前記プラズマディスプレイパネルおよび前記データドライバからの熱を逃がすための放熱経路を形成する筐体と、
前記筐体内に設置された、前記吸気部からの空気の取り入れおよび前記排気部からの空気の排出を強制的に行うファンと、を備え、
前記データドライバは、前記筐体内の下側位置に配置されており、
前記吸気部は、前記データドライバに対応する位置に設けられた、複数の第１開口を有する第１吸気部と、この第１吸気部よりも上方に設けられた、複数の第２開口を有する第２吸気部とを含み、
前記第２吸気部の第２開口と一致する複数の第３開口を有し、前記筐体に沿ってスライドするスライド板と、前記データドライバの温度に基づいて、前記データドライバの温度が相対的に低いときには前記スライド板を前記第３開口と前記第２開口とが合致する基準位置に移動させ、前記データドライバの温度が相対的に高いときには前記スライド板を当該スライド板によって前記第２開口が塞がれる塞ぎ位置に移動させる移動機構と、をさらに備える、プラズマディスプレイ装置。
【請求項２】
画像を表示する前面およびこの前面と反対側を向く背面を有するプラズマディスプレイパネルと、
前記プラズマディスプレイパネルの背面側に配置されたデータドライバと、
前記プラズマディスプレイパネルを前記データドライバと共に背面側から収容する筐体であって、吸気部および排気部を有し、前記プラズマディスプレイパネルの背面側に、前記吸気部から前記排気部に至る、前記プラズマディスプレイパネルおよび前記データドライバからの熱を逃がすための放熱経路を形成する筐体と、
前記筐体内に設置された、前記吸気部からの空気の取り入れおよび前記排気部からの空気の排出を強制的に行うファンと、を備え、
前記データドライバは、前記筐体内の下側位置に配置されており、
前記吸気部は、前記データドライバに対応する位置に設けられており、
前記吸気部から前記筐体内に取り入れられた空気を所定位置まで前記データドライバに向かわせるようにガイドする、複数の第１開口を有する隔壁と、前記隔壁の第１開口と一致する複数の第２開口を有し、前記隔壁に沿ってスライドするスライド板と、前記データドライバの温度に基づいて、前記データドライバの温度が相対的に低いときには前記スライド板を前記第２開口と前記第１開口とが合致する基準位置に移動させ、前記データドライバの温度が相対的に高いときには前記スライド板を当該スライド板によって前記第１開口が塞がれる塞ぎ位置に移動させる移動機構と、をさらに備える、プラズマディスプレイ装置。
【請求項３】
前記移動機構は、前記スライド板を前記基準位置に留めるように付勢する弾性部材と、前記データドライバの近傍に位置し、前記データドライバにより加熱されて所定温度以上となったときに前記弾性部材の付勢力に抗して前記スライド板を前記塞ぎ位置に移動させる形状記憶部材とを含む、請求項１または２に記載のプラズマディスプレイ装置。
【請求項４】
前記データドライバは、均熱板に埋め込まれており、この均熱板を介して前記形状記憶部材が前記データドライバに接続されている、請求項３に記載のプラズマディスプレイ装置。
【発明の詳細な説明】
【技術分野】
【０００１】
本発明は、テレビ映像等の画像を表示するプラズマディスプレイ装置に関するものである。
【背景技術】
【０００２】
近年、テレビ映像等の画像を表示する画像表示装置の薄型化が進み、従来のＣＲＴに代わってプラズマディスプレイパネルまたは液晶パネル等のいわゆる平板型表示パネルを用いた画像表示装置が主流となっている。
【０００３】
図３は、従来のプラズマディスプレイ装置の内部構成および取り付け構成を概略的に示す縦断面図である。このプラズマディスプレイ装置は、プラズマディスプレイパネル（以下、「ＰＤＰ」という。）であるパネル部１１と、このパネル部１１を背面側から収容し、パネル部１１の前面側に前面フィルタ１５を保持する筐体１６とを有している（例えば、特許文献１参照）。筐体１６の内部には、パネル部１１の他に、パネル部１１を背面側から伝熱シート１２を挟んで支持するシャーシ１３が収められており、このシャーシ１３のＰＤＰ支持面と反対側の面には、電源回路基板１４ａ、ＰＤＰ駆動回路基板１４ｂ、データドライバ１４ｃ、およびチューナボックス１４ｄが取り付けられている。
【０００４】
データドライバ１４ｃは、パネル部１１に画像を表示させる際、画像データを面内走査させる機能を持ち、パネル部１１とフレキシブルケーブル１９によって接続されている。図３に示すプラズマディスプレイ装置では、データドライバ１４ｃで発生する熱を拡散させるために、データドライバ１４ｃが均熱板１４ｅの１つの面に埋め込まれている。均熱板１４ｅは、シャーシ１３の下辺に沿って一列に並んで複数配置されている。そして、均熱板１４ｅがボス１８を介してシャーシ１３に固定されることにより、データドライバ１４ｃがシャーシ１３に取り付けられている。
【０００５】
筐体１６は、フロントカバー１６Ａとバックカバー１６Ｂとからなっている。バックカバー１６Ｂの下部には、吸気部１６ａが設けられており、バックカバー１６Ｂの上部には排気部１６ｂが設けられている。すなわち、筐体１６によって、パネル部１１の背面側に、吸気部１６ａから排気部１６ｂに至る、筐体１６内で発生する熱を外に逃がすための放熱経路Ｂが形成されている。また、バックカバー１６Ｂには、筐体１６内を強制的に換気するためのファン１７が取り付けられている。
【０００６】
筐体１６の内部において、大きく発熱するデバイスはパネル部１１とデータドライバ１４ｃである。パネル部１１は、ガス放電を利用して画像を表示するという動作原理のために高温になる。パネル部１１が高温になると、パネル部１１内部に形成されている電極の電気容量が変化し、正常な放電が行われなくなって表示画像の質が劣化する。表示画像の質を劣化させないためには、パネル部１１およびデータドライバ１４ｃで発生する熱を筐体１６の外部に逃がし、パネル部１１を所定の温度以下に保つことが必要である。
【０００７】
筐体１６内から外への放熱について、図３を用いて説明すると、パネル部１１で発生した熱は、伝熱シート１２を介してシャーシ１３に伝えられる。また、データドライバ１４ｃで発生した熱の６〜８割は、均熱板１４ｅおよびボス１８を介してシャーシ１３に伝達される。シャーシ１３に伝達された熱のうち大部分の熱は、筐体１６内の空気に伝達され、筐体１６内の空気の温度が上昇する。そして、ファン１７の稼働により、吸気口１６ａから矢印Ａで示すように冷たい空気が外部から筐体１６内に取り入れられるとともに、温度上昇した空気が排気口１６ｂから矢印Ｃで示すように外部に排出される。なお、シャーシ１３に伝達された熱のうち筐体１６内の空気に伝達される以外の熱は、輻射によってバックカバー１６Ｂに伝達されるか、熱伝導によりフロントカバー１６Ａおよびバックカバー１６Ｂに伝達される。
【０００８】
ところで、最近のプラズマディスプレイ装置では、フルハイビジョン化のため、パネル部１１およびデータドライバ１４ｃに投入する電力が大きくなっている。加えて、パネル部１１の輝度アップのため、パネル部１１に投入する電力が引き上げられる傾向にある。さらに、機器コスト削減のためにデータドライバ１４ｃがパネル部１１の下側のみに配置されているので、データドライバ１４ｃをパネル部１１の上側と下側の両方に配置した場合に比べ、電力投入の集中化によってデータドライバ１４ｃには２倍の負荷がかかっている。このため、パネル部１１に表示させる画像によっては、パネル部１１とデータドライバ１４ｃのどちらかが大きく発熱するようになる。
【０００９】
例えば、パネル部１１に白を背景とする画像を表示させたときには、パネル部１１に投入する電力が大きくなり、パネル部１１の発熱量がデータドライバ１４ｃの発熱量よりも大きくなる。逆に、パネル部１１に白黒等のモザイク状の画像を表示させたときには、データドライバ１４ｃに投入する電力が大きくなり、データドライバ１４ｃの発熱量がパネル部１１の発熱量よりも大きくなる。
【００１０】
これらの発熱モードの違いに拘わらずパネル部１１およびデータドライバ１４ｃを効率的に冷却してパネル部１１の温度上昇を小さく抑えるには、発熱モードに応じてパネル部１１とデータドライバ１４ｃのどちらかを優先的に冷却することが好ましい。例えば、パネル部１１に白を背景とする画像を表示させるとき（すなわち、パネル部１１の発熱量が大きいとき）には、吸気部１６ａからの冷たい空気をパネル部１１（シャーシ３）に選択的に供給し、白黒等のモザイク状の画像を表示させるとき（すなわち、データドライバ１４ｃの発熱量が大きいとき）には、吸気部１６ａからの冷たい空気をデータドライバ１４ｃに選択的に供給することが考えられる。
【００１１】
これを実現するには、例えば、吸気部１６ａをデータドライバ１４ｃの温度に基づいて部分的に開閉すればよい。すなわち、パネル部１１の発熱量が大きくなるときはデータドライバ１４ｃの温度が相対的に低くなり、データドライバ１４ｃの発熱量が大きくなるときはデータドライバ１４ｃの温度が相対的に高くなる。従って、データドライバ１４ｃの温度が相対的に低い場合には、吸気部１６ａを全開にしておき、データドライバ１４ｃの温度が相対的に高い場合には、吸気部１６ａにおけるデータドライバ１４ｃに対応する部分以外の開口を塞げばよい。このように吸気部１６ａを部分的に開閉しても、ファン１７の回転数は通常一定であるため、吸気部１６ａを通過する空気の流量は殆ど変わらない。
【００１２】
ここで、特許文献２には、液晶表示装置に関し、ケース内の温度に応じてケースに設けた開口を自動的に開閉する技術が開示されている。この技術では、ケース内に設けたスライド板を拡散板の熱膨張を利用してスライドさせることにより、ケース内の温度が低い不使用時にケースの開口を閉じ、ケース内の温度が高くなる使用時にケースの開口を開くようにしている。
【特許文献１】特開２００７−１９９７０４号公報
【特許文献２】特開２００７−８６６４９号公報
【発明の開示】
【発明が解決しようとする課題】
【００１３】
しかしながら、特許文献２に記載された技術は、ケース内に塵埃の進入を防ぐために不使用時にケースの開口を閉じるものであり、このようにケースの開口を全体的に開閉したのでは、上述したような吸気部からの空気をどこに供給するかを選定することはできない。
【００１４】
本発明は、このような事情に鑑み、ＰＤＰとデータドライバのどちらかを必要に応じて優先的に冷却することのできるプラズマディスプレイ装置を提供することを目的とする。
【課題を解決するための手段】
【００１５】
前記目的を達成するために、本発明は、画像を表示する前面およびこの前面と反対側を向く背面を有するＰＤＰと、前記ＰＤＰの背面側に配置されたデータドライバと、前記ＰＤＰを前記データドライバと共に背面側から収容する筐体であって、吸気部および排気部を有し、前記ＰＤＰの背面側に、前記吸気部から前記排気部に至る、前記ＰＤＰおよび前記データドライバからの熱を逃がすための放熱経路を形成する筐体と、前記筐体内に設置された、前記吸気部からの空気の取り入れおよび前記排気部からの空気の排出を強制的に行うファンと、を備え、前記データドライバは、前記筐体内の下側位置に配置されており、前記吸気部は、前記データドライバに対応する位置に設けられた、複数の第１開口を有する第１吸気部と、この第１吸気部よりも上方に設けられた、複数の第２開口を有する第２吸気部とを含み、前記第２吸気部の第２開口と一致する複数の第３開口を有し、前記筐体に沿ってスライドするスライド板と、前記データドライバの温度に基づいて、前記データドライバの温度が相対的に低いときには前記スライド板を前記第３開口と前記第２開口とが合致する基準位置に移動させ、前記データドライバの温度が相対的に高いときには前記スライド板を当該スライド板によって前記第２開口が塞がれる塞ぎ位置に移動させる移動機構と、をさらに備える、プラズマディスプレイ装置を提供する。
【００１６】
本発明は、別の側面から、画像を表示する前面およびこの前面と反対側を向く背面を有するＰＤＰと、前記ＰＤＰの背面側に配置されたデータドライバと、前記ＰＤＰを前記データドライバと共に背面側から収容する筐体であって、吸気部および排気部を有し、前記ＰＤＰの背面側に、前記吸気部から前記排気部に至る、前記ＰＤＰおよび前記データドライバからの熱を逃がすための放熱経路を形成する筐体と、前記筐体内に設置された、前記吸気部からの空気の取り入れおよび前記排気部からの空気の排出を強制的に行うファンと、を備え、前記データドライバは、前記筐体内の下側位置に配置されており、前記吸気部は、前記データドライバに対応する位置に設けられており、前記吸気部から前記筐体内に取り入れられた空気を所定位置まで前記データドライバに向かわせるようにガイドする、複数の第１開口を有する隔壁と、前記隔壁の第１開口と一致する複数の第２開口を有し、前記隔壁に沿ってスライドするスライド板と、前記データドライバの温度に基づいて、前記データドライバの温度が相対的に低いときには前記スライド板を前記第２開口と前記第１開口とが合致する基準位置に移動させ、前記データドライバの温度が相対的に高いときには前記スライド板を当該スライド板によって前記第１開口が塞がれる塞ぎ位置に移動させる移動機構と、をさらに備える、プラズマディスプレイ装置を提供する。
【発明の効果】
【００１７】
上記の構成によれば、ＰＤＰの発熱量が大きくなるデータドライバの温度が相対的に低いときには、スライド板が基準位置に移動して吸気部からの空気がデータドライバを経由せずにＰＤＰに向かうルートが確保されるので、吸気部からの空気をＰＤＰに直接的に供給することができる。逆に、データドライバの発熱量が大きくなるデータドライバの温度が相対的に高いときには、スライド板が塞ぎ位置に移動して吸気部からの空気がデータドライバに集中的に送られるようになる。従って、本発明によれば、ＰＤＰとデータドライバのどちらかを必要に応じて優先的に冷却することができる。
【発明を実施するための最良の形態】
【００１８】
以下、本発明を実施するための最良の形態について、図面を参照しながら説明する。なお、以下の説明は本発明の一例に関するものであり、本発明はこれらによって限定されるものではない。
【００１９】
（第１実施形態）
図１および図２に、本発明の一実施形態に係るプラズマディスプレイ装置１Ａを示す。このプラズマディスプレイ装置１Ａは、画像を表示する前面２ａおよびこの前面２ａと反対側を向く背面２ｂを有するＰＤＰ２と、ＰＤＰ２を後述する電気部品３１〜３４と共に背面側から収容する筐体４とを備えている。さらに、プラズマディスプレイ装置１Ａは、筐体４内にＰＤＰ２を背面側から伝熱シート２１を介して支持するシャーシ２２を備えているとともに、ＰＤＰ２の前面側にクッション材２４を挟んで配置された前面フィルタ２３を備えている。
【００２０】
ＰＤＰ２は、長方形状の形状を有しており、一般に、長手方向が水平方向になり、かつ短手方向が鉛直方向になる姿勢で配置される。なお、本明細書では、説明の便宜のために、ＰＤＰ２の厚み方向のうち前面２ａ側を前方、背面２ｂ側を後方というとともに、ＰＤＰ２の長手方向を左右方向、ＰＤＰ２の短手方向を上下方向という。
【００２１】
具体的に、ＰＤＰ２は、図示は省略するが、前面ガラス基板と背面ガラス基板とが貼り合わされて構成されている。そして、前面ガラス基板の背面ガラス基板と反対側の面によって前面２ａが構成され、背面ガラス基板の前面ガラス基板と反対側の面によって背面２ｂが構成されている。前面ガラス基板には、左右方向に延びる走査電極と維持電極とからなる表示電極対が多数形成されており、背面ガラス基板には、上下方向に延びるアドレス電極が多数形成されている。
【００２２】
前面フィルタ６は、ガラスまたはアクリルなどの樹脂で構成された透明基板上に導電性フィルムを含む種々の機能フィルムが積層されたものである。
【００２３】
シャーシ２２は、アルミ等の熱伝導率の高い金属で構成された板状のものである。このシャーシ２２は、ＰＤＰ２よりも一回り大きな長方形状をなしており、その周縁部がＰＤＰ２から全周に亘って張り出している。シャーシ２２のＰＤＰ支持面と反対側の面には、電源回路基板３１、電源回路基板３１を挟んで配置された左右一対のＰＤＰ駆動回路基板３２、筐体４内の下側位置に横一列に配置されたデータドライバ３３、およびチューナボックス３４が取り付けられていて、これらの電気部品３１〜３４がＰＤＰ２の背面側に配置されている。
【００２４】
データドライバ３３は、フレキシブルケーブル２５によってＰＤＰ２と接続されている。データドライバ３３は、ＰＤＰ２の下部とシャーシ２２を挟んで対向するように配置された均熱板３５の前面にそれぞれ埋め込まれている。均熱板３５は、データドライバ３３で発生する熱を拡散させるためのものであり、データドライバ３３と同数設けられていて、横一列に配列されている。そして、均熱板３５がボス２２ａを介してシャーシ２２に固定されることにより、データドライバ３３がシャーシ２２に取り付けられている。
【００２５】
筐体４は、ＰＤＰ２の前方に窓４０を形成する枠状のフロントカバー４１と、このフロントカバー４１に連結されて、ＰＤＰ２をシャーシ２２に取り付けられた電気部品３１〜３４と共に背面側から覆うバックカバー４２とからなっている。バックカバー４２の下部には、吸気部４３が設けられており、バックカバー４２の上部には排気部４４が設けられている。すなわち、筐体４によって、ＰＤＰ２の背面側に、吸気部４３から排気部４４に至る、筐体４内で発生する熱を外に逃がすための放熱経路ａが形成されている。また、筐体４内には、筐体１６内を強制的に換気するためのファン４５が設置されており、このファン４５がバックカバー１６Ｂに排気部４４を内側から塞ぐように取り付けられている。そして、ファン４５の稼働により、吸気部４３からの空気の取り入れおよび排気部４４からの空気の排出が強制的に行われる。なお、ファン４５は、一定の回転数で稼働する。
【００２６】
フロントカバー４１は、例えば樹脂を主成分とする材料からなり、バックカバー４２は、例えば鉄を主成分とする材料からなっている。
【００２７】
より詳しくは、フロントカバー４１は、窓４０となる開口が形成された正面板４１ａと、この正面板４１ａの外周縁部から後方に延びる略矩形筒状の周壁４１ｂとを有している。そして、正面板４１ａの内周縁部に、後方から前面フィルタ２３の周縁部が接合されている。また、周壁４１ｂには、内周面から内向きに突出するリング状の固定部４１ｃが設けられており、この固定部４１ｃにシャーシ２２の周縁部が固定されている。フロントカバー４１は、例えば樹脂を射出成形することにより形成することができる。
【００２８】
一方、バックカバー４２は、電気部品３１〜３４を挟んでシャーシ２２と対向する底壁４２ａと、この底壁４２ａの周縁部から前方に立ち上がる周壁４２ｂとを有している。そして、フロントカバー４１の周壁４１ｂの先端とバックカバー４２の周壁４２ｂの先端とがボルト止め等により連結されている。バックカバー４２は、例えば厚さ０．５〜２ｍｍの金属板をプレス加工することにより形成することができる。
【００２９】
吸気部４３および排気部４４は、例えば６〜８ｍｍのピッチで縦横に並ぶ、直径３〜５ｍｍの円形の開口によって構成することができる。また、開口が形成された領域の面積に対する開口の総面積の割合で表される開口率は、例えば３０〜６０％である。
【００３０】
吸気部４３は、データドライバ３３に対応する位置に設けられた、複数の第１開口４３ａを有する第１吸気部４３Ａと、この第１吸気部４３Ａよりも上方に設けられた、複数の第２開口４３ｂを有する第２吸気部４３Ｂとを有している。ここで、第１吸気部４３Ａの配置位置であるデータドライバ３３に対応する位置とは、図１中に矢印ｃで示すように第１吸気部４３Ａを通過する空気をデータドライバ３３（正確には均熱板３５）に当てることが可能な位置のことであり、本実施形態では、前後方向においてデータドライバ３３と重なり合う位置に第１吸気部４３Ａが設けられている。また、本実施形態では、第１吸気部４３Ａと第２吸気部４３Ｂとが連続して上下に並んでおり、第１開口４３ａと第２開口４３ｂとが一定のピッチで並んでいる。ただし、第１吸気部４３Ａと第２吸気部４３Ｂは、互いに離間して配置されていてもよい。
【００３１】
さらに、本実施形態では、筐体４内に、バックカバー４２の底壁４２ａに沿ってスライドするスライド板５と、このスライド板５をデータドライバ３３の温度に基づいて移動させる移動機構６Ａが設けられている。
【００３２】
スライド板５は、例えば横長長方形状の形状を有し、第２吸気部４３Ｂと全面に亘って重なり合うように配置されている。このスライド板５には、第２吸気部４３Ｂの第２開口４３ｂと一致する複数の第３開口５１が設けられている。すなわち、第３開口５１の形状、数量、縦横のピッチは、第２開口４３ｂのそれと同じになっている。
【００３３】
移動機構６Ａは、データドライバ３３の温度が相対的に低いときにはスライド板５を図１に示す基準位置に移動させ、データドライバ３３の温度が相対的に高いときにはスライド板５を基準位置より少し下の塞ぎ位置に移動させるものである。基準位置とは、図１に示すように、スライド板５の第３開口５１と第２吸気部４３Ｂの第２開口４３ｂとが合致する位置であり、塞ぎ位置とは、スライド板５によって第２開口４３ｂが塞がれる位置である。なお、スライド板５が塞ぎ位置に移動したときは、第２開口４３ｂは必ずしも１００％塞がれる必要はなく、例えば５０％程度塞がれるようになっていてもよい。
【００３４】
具体的に、移動機構６Ａは、スライド板５の上側に配置された引っ張り板ばね（弾性部材）６１と、データドライバ３３の近傍に配置された形状記憶部材６２と有している。
【００３５】
引っ張り板ばね６１は、一端がスライド板５の上端部に固定され、他端がバックカバー４２の底壁４２ａに立設されたスタンドポール６３に引っ掛けられており、スライド板５を上向きに付勢している。底壁４２ａには、ストッパー６４が設けられており、このストッパー６４にスライド板５が当て止められることにより、スライド板５が基準位置に留められるようになっている。
【００３６】
形状記憶部材６２は、スライド板５と同程度の幅を有した折れ曲がり形状のものであり、スライド板５の下端部と均熱板３５とを連結している。すなわち、形状記憶部材６２は、均熱板３５を介してデータドライバ３３に接続されている。形状記憶部材６２は、形状記憶合金（例えば、Ｔｉ−Ｎｉ合金）からなり、常温では引っ張り板ばね６１の付勢力によって図１中に実線で示すように変形しているが、データドライバ３３により加熱されて所定温度（逆変態終了温度）以上となったときには、図１中に波線で示すように予め記憶させられた形状に戻り、引っ張り板ばね６１の付勢力に抗してスライド板５を塞ぎ位置に移動させる（図１中の矢印ｄ参照）。
【００３７】
以上説明したプラズマディスプレイ装置１Ａでは、ＰＤＰ２に白を背景とする画像を表示させたとき、ＰＤＰ２に投入する電力が大きくなり、単位体積あたりの投入電力もＰＤＰ２の方がデータドライバ３３より大きくなる。このため、ＰＤＰ２の発熱量が大きくなって、データドライバ３３の温度が相対的に低くなる。このとき、スライド板５が移動機構６Ａによって基準位置に移動させられ、第２吸気部４３Ｂの第２開口４３ｂとスライド板５の第３開口５１が合致するので、図１中に矢印ｂで示すように吸気部４３からの空気がデータドライバ３３を経由せずにＰＤＰ２に向かうルートが確保される。換言すれば、吸気部４３の開効率が大きく保たれる。このため、吸気部４３からの新鮮な空気をデータドライバ３３だけでなくＰＤＰ２にも直接的に供給することができる。
【００３８】
逆に白黒等のモザイク状の画像を表示させたとき、データドライバ３３に投入する電力が大きくなり、単位体積あたりの投入電力もデータドライバ３３の方がＰＤＰ２より大きくなる。このため、データドライバ３３の発熱量が大きくなり、データドライバ３３の温度が相対的に高くなる。このとき、スライド板５が移動機構６Ａによって塞ぎ位置に移動させられ、第２吸気部４３Ｂの第２開口４３ｂが塞がれるので、吸気部４３からの空気がデータドライバ３３に集中的に送られるようになる。すなわち、吸気部４３の開口率が第２吸気部４３Ｂの第２開口４３ｂが塞がれる分だけ小さくなる。ファン４５の回転数はスライド板５のスライド如何にかかわらず一定であるため、第１吸気部４３Ａから導入される新鮮な空気の流速は大きくなり、均熱板３５まわりの流速も速くなる。結果としてデータドライバ３３が効率よく冷却される。
【００３９】
このように、本実施形態のプラズマディスプレイ装置１Ａでは、ＰＤＰ２とデータドライバ３３のどちらかを必要に応じて優先的に冷却することができる。
【００４０】
なお、本実施形態では、スライド板５を基準位置に留めるように付勢する弾性部材として引っ張り板ばね６１を用いているが、ストッパー６４をスライド板５の下側に設ければ、弾性部材として圧縮コイルばねを用いることも可能である。さらに、弾性部材としては、ばね以外の弾性体を用いることも可能である。
【００４１】
また、第１吸気部４３Ａは、データドライバ３３と対応する位置、すなわち当該第１吸気部４３Ａを通過した空気がデータドライバ３３に当たる位置に設けられていればよく、例えば、バックカバー４２の周壁４２ｂの下部に設けられていてもよい。
【００４２】
（第２実施形態）
図２に、本発明の第２実施形態に係るプラズマディスプレイ装置１Ｂを示す。なお、第２実施形態においては、第１実施形態と同一構成部分には同一符号を付して、その説明を省略する。
【００４３】
第２実施形態のプラズマディスプレイ装置１Ｂでは、吸気部４３がデータドライバ３３に対応する位置にのみ設けられていて、その領域が第１実施形態よりも小さくなっている。この吸気部４３は、第１実施形態と同様の複数の吸気用の開口４３ｃを有している。
【００４４】
また、第２実施形態では、筐体４内に、吸気部４３のすぐ上側の位置で筐体４内の空間を上下に仕切る隔壁７と、この隔壁７の下面に沿ってスライドするスライド板８と、このスライド板８をデータドライバ３３の温度に基づいて移動させる移動機構６Ｂとが設けられている。
【００４５】
隔壁７は、例えば吸気部４３と略同じ幅でバックカバー４２の底壁４２ａから所定位置（例えば、底壁４２ａからシャーシ２２までの距離の略半分程度の位置）まで延びている。このため、吸気部４３から筐体４内に取り入れられた空気は、隔壁７の先端までは図２中に矢印ｅで示すように隔壁７にガイドされてデータドライバ３３に向かうようになり、その先では図２中に矢印ｆで示すように隔壁７の先端とシャーシ２２との間を通って上方に吹き抜けるようになる。
【００４６】
また、隔壁７には、複数の第１開口７１が設けられており、吸気部４３から筐体４内に取り入れられた空気が第１開口７１を通じて隔壁７の上側にも流れ込むことができるようになっている。第１開口７１は、例えば、６〜８ｍｍのピッチで縦横に並ぶ、直径３〜５ｍｍの円形の孔である。また、第１開口７１が形成された領域の面積に対する第１開口７１の総面積の割合で表される開口率は、例えば３０〜６０％である。
【００４７】
スライド板８は、隔壁７と同程度の大きさを有している。このスライド板８には、隔壁７の第１開口７１と一致する複数の第２開口８１が設けられている。すなわち、第２開口８１の形状、数量、縦横のピッチは、第１開口７１のそれと同じになっている。
【００４８】
移動機構６Ｂは、データドライバ３３の温度が相対的に低いときにはスライド板８を図２に示す基準位置に移動させ、データドライバ３３の温度が相対的に高いときにはスライド板８を基準位置より少し前（図２では左方）の塞ぎ位置に移動させるものである。基準位置とは、図２に示すように、スライド板８の第２開口８１と隔壁７の第１開口７１とが合致する位置であり、塞ぎ位置とは、スライド板８によって第１開口７１が塞がれる位置である。なお、スライド板８が塞ぎ位置に移動したときは、第１開口７１は必ずしも１００％塞がれる必要はなく、例えば５０％程度塞がれるようになっていてもよい。
【００４９】
具体的に、移動機構６Ｂは、スライド板８の前方に配置された圧縮コイルばね（弾性部材）６５と、データドライバ３３の近傍に配置された形状記憶部材６６と有している。
【００５０】
圧縮コイルばね６５は、一端がスライド板８の前端部に固定され、他端がシャーシ２２に固定されており、スライド板８を後向きに付勢している。なお、スライド板８は、バックカバー４２の底壁４２ａに当て止められることにより、基準位置に留められるようになっている。すなわち、底壁４２ａは、ストッパーの役割を果たしている。
【００５１】
形状記憶部材６６は、スライド板８と同程度の幅を有した板状のものであり、スライド板８の前端部と均熱板３５とを連結している。すなわち、形状記憶部材６６は、均熱板３５を介してデータドライバ３３に接続されている。形状記憶部材６６は、形状記憶合金からなり、常温では圧縮コイルばね６５の付勢力によって図２に示すように湾曲しているが、データドライバ３３により加熱されて所定温度（第１実施形態と同様）以上となったときには、予め記憶させられたフラットな形状に戻り、圧縮コイルばね６５の付勢力に抗してスライド板８を塞ぎ位置に移動させる（図２中の矢印ｈ参照）。
【００５２】
以上説明したプラズマディスプレイ装置１Ｂでは、ＰＤＰ２に白を背景とする画像を表示させたとき、ＰＤＰ２に投入する電力が大きくなり、単位体積あたりの投入電力もＰＤＰ２の方がデータドライバ３３より大きくなる。このため、ＰＤＰ２の発熱量が大きくなって、データドライバ３３の温度が相対的に低くなる。このとき、スライド板８が移動機構６Ｂによって基準位置に移動させられ、隔壁７の第１開口７１とスライド板８の第２開口８１が合致するので、図２中に矢印ｇで示すように吸気部４３からの空気がデータドライバ３３を経由せずに第２開口８１および第１開口７１を通ってＰＤＰ２に向かうルートが確保される。このため、吸気部４３からの新鮮な空気をデータドライバ３３だけでなくＰＤＰ２にも直接的に供給することができる。
【００５３】
逆に白黒等のモザイク状の画像を表示させたとき、データドライバ３３に投入する電力が大きくなり、単位体積あたりの投入電力もデータドライバ３３の方がＰＤＰ２より大きくなる。このため、データドライバ３３の発熱量が大きくなり、データドライバ３３の温度が相対的に高くなる。このとき、スライド板８が移動機構６Ｂによって塞ぎ位置に移動させられ、隔壁７の第１開口７１が塞がれるので、吸気部４３からの空気がデータドライバ３３に集中的に送られるようになる。ファン４５の回転数はスライド板８のスライド如何にかかわらず一定であるため、データドライバ３３に向かって流れる新鮮な空気の流速は大きくなり、均熱板３５まわりの流速も速くなる。結果としてデータドライバ３３が効率よく冷却される。
【００５４】
このように、本実施形態のプラズマディスプレイ装置１Ｂでは、ＰＤＰ２とデータドライバ３３のどちらかを必要に応じて優先的に冷却することができる。
【００５５】
なお、本実施形態では、スライド板８を基準位置に留めるように付勢する弾性部材として圧縮コイルばね６５を用いているが、ストッパーを隔壁７の先端に設ければ、弾性部材として引張コイルばねを用いることも可能である。さらに、弾性部材としては、ばね以外の弾性体を用いることも可能である。
【００５６】
（変形例）
移動機構としては、弾性部材と形状記憶部材を組み合わせたもの以外にも、熱膨張率が異なる２枚の板を貼り合わせたものを使用することも可能である。
【００５７】
また、シャーシ２２は、ＰＤＰ２を周囲から取り囲む枠状のものであってもよい。
【図面の簡単な説明】
【００５８】
【図１】本発明の第１実施形態に係るプラズマディスプレイ装置を概略的に示す縦断面図である。
【図２】本発明の第２実施形態に係るプラズマディスプレイ装置を概略的に示す縦断面図である。
【図３】従来のプラズマディスプレイ装置を概略的に示す縦断面図である。
【符号の説明】
【００５９】
１Ａ，１Ｂ  プラズマディスプレイ装置
２    ＰＤＰ
２ａ  前面
２ｂ  背面
３４  データドライバ
３５  均熱板
４    筐体
４３  吸気部
４３Ａ  第１吸気部
４３ａ  第１開口
４３Ｂ  第２吸気部
４３ｂ  第２開口
４４  排気部
４５  ファン
５    スライド板
５１  第３開口
６Ａ，６Ｂ  移動機構
６１  引っ張り板ばね（弾性部材）
６２  形状記憶部材
６５  圧縮コイルばね（弾性部材）
６６  形状記憶部材
７    隔壁
７１  第１開口
８    スライド板
８１  第２開口
【図１】
2010060736.tif 000003
【図２】
2010060736.tif 000004
【図３】
2010060736.tif 000005